(57)【要約】【課題】  ワイドコンバージョンレンズ等のアクセサリ部材を収納可能な防水プロテクタ装置を提供する。【解決手段】  防水プロテクタ装置１０は、カメラ本体１５を収納する本体プロテクタ１１と、本体プロテクタ１１に取付ける第１のポート部材７１と、第１のポート部材７１に取付ける第２のポート部材７２とを有している。本体プロテクタ１１に、第１の開口部４１が形成されている。第１のポート部材７１は、第１の開口部４１に嵌合する第２の開口部７５と、第２の開口部７５よりも大径な第３の開口部７６と、第２の開口部７５と第３の開口部７６との間に形成された錐体状の筒部７７とを有している。第１のポート部材７１に、ワイドコンバージョンレンズＷ１等のアクセサリ部材が収納される。第２のポート部材７２は、第３の開口部７６に嵌合可能な第４の開口部９０と、光透過部９１とを有している。【選択図】    図５
2005164760.tif 000002
【特許請求の範囲】
【請求項１】
カメラ本体の撮影レンズの前面と対応する部位に形成された開口と、該開口の周囲に形成された第１の開口部とを有し前記カメラ本体を防水可能に収納する本体プロテクタと、
前記本体プロテクタに取付ける第１のポート部材であって、前記第１の開口部に嵌合可能な第２の開口部と、該第２の開口部よりも被写体に近い側に形成されかつ該第２の開口部よりも大径な第３の開口部と、前記第２の開口部と前記第３の開口部との間に形成され前記第２の開口部から前記第３の開口部に向かって外径が増加する錐体状の筒部を有し、前記撮影レンズの前面に装着されるアクセサリ部材を収納可能な第１のポート部材と、
前記第１のポート部材に取付ける第２のポート部材であって、前記第３の開口部に嵌合可能な第４の開口部と、該第４の開口部に対し光軸方向でかつ被写体に近い側に設けられ前記被写体からの光を前記撮影レンズに入射させる光透過部と、該光透過部と前記第４の開口部との間に形成された筒部を有し、前記第１のポート部材の内部空間を防水する第２のポート部材と、
を具備したことを特徴とする防水プロテクタ装置。
【請求項２】
前記第１の開口部と前記第２の開口部との間、および、前記第３の開口部と前記第４の開口部との間に、それぞれシール部材が配置されていることを特徴とする請求項１に記載の防水プロテクタ装置。
【請求項３】
前記本体プロテクタの前記第１の開口部に前記第１のポート部材が取付けられかつこの第１のポート部材から前記第２のポート部材が取外された状態において、前記カメラ本体もしくは前記撮影レンズに前記アクセサリ部材を装着可能であることを特徴とする請求項１または２に記載の防水プロテクタ装置。
【請求項４】
前記アクセサリ部材がワイドコンバージョンレンズであることを特徴とする請求項３に記載の防水プロテクタ装置。
【請求項５】
前記本体プロテクタの前記第１の開口部から前記第１のポート部材を取外した状態において、前記第１の開口部に標準ポートを装着可能であることを特徴とする請求項１または２に記載の防水プロテクタ装置。
【発明の詳細な説明】
【技術分野】
【０００１】
この発明は、例えばデジタルカメラ等を収納する防水プロテクタ装置に関する。
【背景技術】
【０００２】
カメラを水中で使用する場合、従来より、防水プロテクタ（防水ケース）が使用されている。一般的な防水プロテクタは、カメラ本体を撮影レンズと共に防水プロテクタの内部に収納するようになっている。（例えば下記特許文献１参照）
また、必要に応じて、防水プロテクタの前面側に、クローズアップレンズやワイドコンバージョンレンズ等のアクセサリ部材を取付けることができる防水プロテクタも知られている。例えば、防水プロテクタの前面、すなわち撮影レンズの前面に対向する光透過部の周囲に、ねじ山等を有するマウント部を形成し、このマウント部を利用して、前記アクセサリ部材を着脱可能に取付けるようにしている。
【特許文献１】特開２００２−９０８５４号公報
【発明の開示】
【発明が解決しようとする課題】
【０００３】
しかしながら前記従来装置のように防水プロテクタのマウント部にアクセサリ部材を取付ける構造の場合、防水プロテクタに対してカメラ本体の位置がずれていると、アクセサリ部材とカメラ本体との光軸がずれてしまい、画質が悪くなる懸念がある。
【０００４】
これに対し、アクセサリ部材を収納可能な大きさのアクセサリ収納空間を有する防水プロテクタを用い、カメラ本体とアクセサリ部材とを一体に収納すれば、アクセサリ部材とカメラ本体との光軸を正確に保つことができる。
【０００５】
しかしながら、ワイドコンバージョンレンズのように前部側の外径が後部側に比べてかなり大きいアクセサリ部材を、防水プロテクタの内側からアクセサリ収納空間に出し入れするには、容積の大きい防水空間が必要となり、防水プロテクタ全体がきわめて大きくなる。このため運搬時や撮影時に扱いにくくなるばかりか、水中での浮力が必要以上に大きくなるため、浮力を相殺するために、より重いウエイトが必要になるなどの不利がある。
【０００６】
従ってこの発明の目的は、例えばワイドコンバージョンレンズ等の比較的大形のアクセサリ部材も問題無く収納できるような防水プロテクタ装置を提供することにある。
【課題を解決するための手段】
【０００７】
本発明の防水プロテクタ装置は、カメラ本体の撮影レンズの前面と対応する部位に形成された開口と、該開口の周囲に形成された第１の開口部とを有し前記カメラ本体を防水可能に収納する本体プロテクタと、前記本体プロテクタに取付ける第１のポート部材であって、前記第１の開口部に嵌合可能な第２の開口部と、該第２の開口部よりも被写体に近い側に形成されかつ該第２の開口部よりも大径な第３の開口部と、前記第２の開口部と前記第３の開口部との間に形成され前記第２の開口部から前記第３の開口部に向かって外径が増加する錐体状の筒部を有し、前記撮影レンズの前面に装着されるアクセサリ部材を収納可能な第１のポート部材と、前記第１のポート部材に取付ける第２のポート部材であって、前記第３の開口部に嵌合可能な第４の開口部と、該第４の開口部に対し光軸方向でかつ被写体に近い側に設けられ前記被写体からの光を前記撮影レンズに入射させる光透過部と、該光透過部と前記第４の開口部との間に形成された筒部を有し、前記第１のポート部材の内部空間を防水する第２のポート部材と、を具備している。
【０００８】
この発明の好ましい形態では、前記第１の開口部と前記第２の開口部との間、および、前記第３の開口部と前記第４の開口部との間に、それぞれ、Ｏリング等のシール部材が配置されている。
【０００９】
この発明の好ましい形態では、前記本体プロテクタの前記第１の開口部に前記第１のポート部材が取付けられかつこの第１のポート部材から前記第２のポート部材が取外された状態において、前記カメラ本体もしくは前記撮影レンズに前記アクセサリ部材を装着可能である。アクセサリ部材の一例はイドコンバージョンレンズである。
【００１０】
この発明の好ましい形態では、前記本体プロテクタの前記第１の開口部から前記第１のポート部材を取外した状態において、前記第１の開口部に標準ポートを装着可能である。
【発明の効果】
【００１１】
本発明の防水プロテクタ装置によれば、例えばワイドコンバージョンレンズ等の比較的大形のアクセサリ部材をカメラ本体と一体に防水空間に収納することができる。本発明の防水プロテクタ装置は、カメラ本体あるいはその撮影レンズにアクセサリ部材を直接取付けることができるため、カメラ本体とアクセサリ部材との互いの光軸が狂うことがない。
【００１２】
また、本体プロテクタに取付ける第１のポート部材と、この第１のポート部材よりも大径な第２のポート部材とによって防水空間を構成することにより、前部側の外径が大きいワイドコンバージョンレンズ等のアクセサリ部材を、比較的内容積の小さい防水空間に収納することができる。
【発明を実施するための最良の形態】
【００１３】
以下に本発明の一実施形態について、図１から図６を参照して説明する。  
図１は標準ポート１を備えた防水プロテクタ装置（防水ケース）１０の正面図である。この防水プロテクタ装置１０は、以下に説明する本体プロテクタ１１と、本体プロテクタ１１に対して着脱可能な標準ポート１（図２と図３に示す）あるいはワイド用ポート７０（図５と図６に示す）を備えている。
【００１４】
図２は標準ポート１を備えた防水プロテクタ装置１０の横断面を示している。図２に示すように、本体プロテクタ１１の内部、すなわち本体プロテクタ１１と標準ポート１によって囲まれる防水空間Ｓ１の所定位置に、デジタルカメラ等のカメラ本体１５が防水可能に収納される。
【００１５】
カメラ本体１５は、フィルタ等を取付けるための雌ねじ部を有する枠体１６を備えている。カメラ本体１５の電源スイッチ（図示せず）をオンしたとき、図２に示すように、枠体１６の内径側から可動部である撮影レンズ１７が前方、すなわち被写体に向けて突き出るようになっている。
【００１６】
本体プロテクタ１１は、図２に示すヒンジ軸２０によって互いに回動可能に連結される本体部２１と蓋部２２とを備えている。本体部２１と蓋部２２は、それぞれ、水を通さず耐圧製の高い合成樹脂（例えばポリカーボネート）の成形品からなる。本体部２１と蓋部２２は、クランプ機構２３によって、互いに閉じた状態で保持することができるようになっている。本体部２１と蓋部２２との互いの接合部に、Ｏリング等のシール部材２４，２５が配置されている。
【００１７】
本体プロテクタ１１には、カメラ本体１５のレリーズボタン３０（図２等に示す）を操作するための操作部材３１（図１に示す）をはじめとして、カメラ本体１５を操作するのに必要な各種の操作部材や、外部ストロボ用の中継コネクタ部（図示せず）を覆うキャップ３２などが装着されている。カメラ本体１５には、ストロボ同調発光等に用いる電気接点を備えたホットシュー３３（図２と図３に示す）が設けられている。
【００１８】
本体プロテクタ１１の本体部２１には、カメラ本体１５の枠体１６の前面と対応する部位に、円形の開口４０が形成されている。開口４０の内径は、枠体１６よりもやや大きく、少なくとも撮影レンズ１７を挿入できる大きさである。
【００１９】
本体プロテクタ１１の外面には、前記開口４０の周囲に、開口４０よりも大径な短円筒形の第１の開口部４１が開口４０と同心に形成されている。第１の開口部４１の内周面４２は下記シール部材５４が密接するシール面であるため、平滑に仕上げられている。開口４０と第１の開口部４１との間に、シール部材として機能するＯリング４３が配置されている。図３に示すように、第１の開口部４１の外周面４４に、バックル機構４５の一部を構成する一対の凸部４６が形成されている。
【００２０】
標準ポート１は、略円筒形の筒部５０と、筒部５０の前端部に装着されたガラス等の透光部材５１と、必要に応じて筒部５０に取付けるフード部材５２と、筒部５０の両側部に設けられた一対のバックル部材５３と、筒部５０の端部に設けられたＯリング等のシール部材５４を備えている。シール部材５４は第１の開口部４１の内周面４２に密接することができる。
【００２１】
バックル部材５３と前記凸部４６は、バックル機構４５を構成している。バックル部材５３は、それぞれ軸６０を中心に回動可能であり、図４（Ａ）に示すロック位置と、図４（Ｂ）に示すロック解除位置とにわたって、回動することができる。このバックル部材５３は、図４（Ｂ）に示す位置から矢印Ｒ１方向にさらに回動できるようにしてもよい。
【００２２】
図（Ａ）（Ｂ）に示されるように、バックル部材５３の内面側にカム溝６１が形成されている。カム溝６１は、その一端６１ａから他端６１ｂに向かって軸６０からの距離Ｄが次第に大きくなるような螺旋形をなしている。バックル部材５３が図４（Ａ）に示すロック位置まで回動したとき、凸部４６がカム溝６１の一端６１ａ側の部位と嵌合することにより、標準ポート１の筒部５０のフランジ部５０ａが第１の開口部４１の前端面４１ａに当接する方向に押し付けられるとともに、標準ポート１が本体プロテクタ１１に固定されるようになっている。
【００２３】
バックル部材５３を、図（Ａ）に矢印Ｒ１で示す方向（ロック解除方向）に回動させると、カム溝６１が凸部４６に対して矢印Ｒ１方向に相対的に滑りながら移動しつつ、図４（Ｂ）に示すように筒部５０のフランジ部５０ａが第１の開口部４１の前端面４１ａから離れる方向（矢印Ｆで示す方向）に少し押し出される。バックル部材５３が図４（Ｂ）に示すロック解除位置に至ると、凸部４６がカム溝６１から離脱することにより、標準ポート１を本体プロテクタ１１から取外すことが可能となる。本体プロテクタ１１に標準ポート１を取付けるためにロックするには、ロック解除方向Ｒ１とは反対の方向にバックル部材５３を回動させればよい。
【００２４】
図２および図３に示すように、バックル部材５３に節度機構（クリック手段）６５が設けられている。この節度機構６５は、ばね部６６によってバックル部材５３の内側の面から突出する方向に付勢される係止部材６７を備えている。本体プロテクタ１１側には、係止部材６７が係合できる凹部６８が形成されている。この凹部６８は、バックル部材５３が前記ロック位置まで移動したときに、係止部材６７と係合する位置に形成されている。
【００２５】
バックル部材５３が前記ロック位置まで移動したときに、係止部材６７が凹部６８に係合することによって、バックル部材５３の位置が決まるとともに、節度感（いわゆるクリック感）が生じることにより、バックル部材５３がロック位置に達したことを知ることができる。
【００２６】
図５と図６に示すように、本体プロテクタ１１の第１の開口部４１に、ワイド用ポート７０を取付けることができる。ワイド用ポート７０の内側に形成される防水空間Ｓ２に、本発明で言うアクセサリ部材の一例としてのワイドコンバージョンレンズＷ１を収納することができる。ワイドコンバージョンレンズＷ１は、枠体１６のフィルタねじによって枠体１６の前面に装着されるもので、水中での広画角撮影に適している。ワイドコンバージョンレンズＷ１の前部側は後部と比較して、撮影レンズ１７よりも外径が大きい。
【００２７】
ワイド用ポート７０は、本体プロテクタ１１に取付けられる第１のポート部材７１と、第１のポート部材７１に連結される第２のポート部材７２を有している。第１のポート部材７１は、第１の開口部４１の内周面４２に嵌合可能な短円筒形の第２の開口部７５と、第２の開口部７５よりも被写体に近い側に形成されかつ第２の開口部７５よりも大径な第３の開口部７６と、第２の開口部７５と第３の開口部７６との間に形成された筒部７７を有している。
【００２８】
筒部７７は、第２の開口部７５から第３の開口部７６に向かって外径が増加する錐体状をなしている。第２の開口部７５の外周面に、Ｏリング等のシール部材７８が配置されている。このシール部材７８は、第２の開口部７５を第１の開口部４１に嵌合させた状態において、第１の開口部４１と第２の開口部７５との間に配置される。
【００２９】
第３の開口部７６の内周面７９は、第２のポート部材７２の下記シール部材９３が密接するシール面として使われるため、平滑に仕上げられている。第３の開口部７６の外周面に、下記第２のバックル機構９５の一部を構成する一対の凸部８０が形成されている。
【００３０】
第１のポート部材７１の筒部７７の近傍に、第１のバックル機構８１を構成する一対のバックル部材８２と、節度機構８３が設けられている。バックル部材８２は、前記標準ポート１のバックル部材５３と同様に構成されている。すなわち第１のポート部材７１のバックル部材８２も軸８５を中心に回動可能であり、本体プロテクタ１１の前記凸部４６に嵌合可能なカム溝（図示せず）を有し、ロック位置とロック解除位置とにわたって回動することができる。
【００３１】
第１のポート部材７１の第２の開口部７５を本体プロテクタ１１の第１の開口部４１に挿入し、バックル部材８２をロック位置まで回動させると、図４（Ａ）に示すものと同様に、バックル部材８２に形成されている前記カム溝が凸部４６に嵌合することにより、第１のポート部材７１が本体プロテクタ１１に押し付けられた状態で、第１のポート部材７１が本体プロテクタ１１に固定される。
【００３２】
バックル部材８２をロック解除位置まで回動させると、第１のポート部材７１が第１の開口部４１から押し出されつつ、凸部４６が前記カム溝から離脱することにより、第１のポート部材７１を本体プロテクタ１１の第１の開口部４１から取外すことが可能となる。
【００３３】
第１のポート部材７１の節度機構８３は、標準ポート１の節度機構６５と同様に構成されている。すなわち第１のポート部材７１の節度機構８３は、ばね部８６によって付勢される係止部材８７を有し、バックル部材８２が前記ロック位置に達したときに、係止部材８７が本体プロテクタ１１側の凹部６８に係合することにより、バックル部材８２の位置が決まるとともに、節度感（いわゆるクリック感）が生じることにより、バックル部材８２がロック位置に達したことを知ることができる。
【００３４】
第２のポート部材７２は、第１のポート部材７１の内側に形成される防水空間Ｓ２を防水する機能を担っている。第２のポート部材７２は、第１のポート部材７１の第３の開口部７６に嵌合可能な第４の開口部９０と、第４の開口部９０に対して光軸方向で被写体に近い側に設けられた光透過部９１と、第４の開口部９０と光透過部９１との間に形成された短円筒形の筒部９２などを有している。
【００３５】
筒部９２の前端部に設けられる光透過部９１は、被写体からの光をワイドコンバージョンレンズＷ１を介して撮影レンズ１７に入射させるものであり、例えば透明ガラス等の透光部材によって構成されている。筒部９２の外周面にＯリング等のシール部材９３が設けられている。図６に示すように、第４の開口部９０を第３の開口部７６に嵌合させた状態において、第３の開口部７６と第４の開口部９０との間にシール部材９３が配置される。
【００３６】
第２のポート部材７２の筒部９２の両側部に、第２のバックル機構９５を構成する一対のバックル部材９６と、節度機構９７が設けられている。バックル部材９６は、標準ポート１の前記バックル部材５３と同様に構成されている。このバックル部材９６は軸９８を中心に回動可能であり、第１のポート部材７１の凸部８０（図５に示す）に嵌合可能なカム溝（図示せず）を有し、ロック位置とロック解除位置とにわたって回動することができる。
【００３７】
第２のポート部材７２の第４の開口部９０を第１のポート部材７１の第３の開口部７６に挿入し、バックル部材９６をロック位置まで回動させると、バックル部材９６に形成されている前記カム溝が凸部８０に嵌合することにより、第２のポート部材７２が第１のポート部材７１に押し付けられるとともに、第２のポート部材７２が第１のポート部材７１に固定される。
【００３８】
バックル部材９６をロック解除位置まで回動させると、第２のポート部材７２が第１のポート部材７１の第３の開口部７６から少し押し出されるとともに、凸部８０が前記カム溝から離脱することにより、第２のポート部材７２を第１のポート部材７１から取外すことが可能となる。
【００３９】
第２のポート部材７２の節度機構９７は、標準ポート１の節度機構６５と同様に構成されている。すなわち第２のポート部材７２の節度機構９７は、ばね部９９によって付勢される係止部材１００を有し、バックル部材９６が前記ロック位置まで移動したときに、係止部材１００が第１のポート部材７１側の凹部１０１に係合することにより、バックル部材９６の位置が決まるとともに、節度感が生じることにより、バックル部材９６がロック位置に達したことを知ることができる。
【００４０】
以下に、前記実施形態の防水プロテクタ装置１０の作用について説明する。  
図１および図２に示すように、カメラ本体１５に標準装備されている撮影レンズ１７のみを用いて撮影を行う場合、本体プロテクタ１１の第１の開口部４１に標準ポート１を取付け、バックル機構４５によって標準ポート１を本体プロテクタ１１に固定する。
【００４１】
ワイドコンバージョンレンズＷ１を使用する場合には、図３に示すように、本体プロテクタ１１の第１の開口部４１から標準ポート１を取外したのち、図５に示すように本体プロテクタ１１の第１の開口部４１に第１のポート部材７１の第２の開口部７５に挿入し、第１のバックル機構８１によって、第１のポート部材７１を本体プロテクタ１１に固定する。
【００４２】
この第１のポート部材７１に第２のポート部材７２を取付ける前、すなわち、第２のポート部材７２が第１のポート部材７１から取外されている状態において、第１のポート部材７１の外側から、ワイドコンバージョンレンズＷ１をカメラ本体１５に取付ける。ワイドコンバージョンレンズＷ１は、例えば、カメラ本体１５側である枠体１６に形成された雌ねじ部（フィルタねじ）にねじ込むことによって、カメラ本体１５に取付けることができる。
【００４３】
なお、ワイドコンバージョンレンズＷ１をはじめとして、各種のアクセサリレンズやフィルタ（図示せず）等のアクセサリ部材は、カメラ本体１５に取付ける代りに、撮影レンズ１７に、フィルタ取付け用の雌ねじ部であるフィルタねじを用いて取付けるようにしてもよい。
【００４４】
ワイドコンバージョンレンズＷ１をカメラ本体１５に装着したのち、図６に示すように第１のポート部材７１の第３の開口部７６に第２のポート部材７２の第４の開口部９０を挿入し、第２のバックル機構９５によって第２のポート部材７２を第１のポート部材７１に固定する。
【００４５】
この後、カメラ本体１５の電源がオンされると、可動部としての撮影レンズ１７がカメラ本体１５内に収容されていた沈胴状態から被写体側に突出し、撮影レンズ１７がワイドコンバージョンレンズＷ１の筒部後方内部に進入して撮影準備状態となる。
【００４６】
なお、ワイドコンバージョンレンズＷ１のレンズ群は、ワイドコンバージョンレンズＷ１の鏡枠中の光軸上の中ほどから、被写体に向かって前方側（図５中の中間部ｄ２と大径部ｄ３）に配置されている。ワイドコンバージョンレンズＷ１の後方側（図５中の小径部ｄ１）は略中空状態となっているため、撮影レンズ１７がワイドコンバージョンレンズＷ１の内部に進入することができる。
【００４７】
本実施形態の防水プロテクタ装置１０によれば、本体プロテクタ１１と第１および第２のポート部材７１，７２によって形成される防水空間Ｓ２に、ワイドコンバージョンレンズＷ１等の比較的大形のアクセサリ部材を、カメラ本体１５と一体に収納することができる。
【００４８】
この防水プロテクタ装置１０は、カメラ本体１５にワイドコンバージョンレンズＷ１を直接取付けるため、カメラ本体１５とワイドコンバージョンレンズＷ１との光軸が狂うおそれがない。また、必要に応じて標準ポート１とワイド用ポート７０を選択して本体プロテクタ１１に取付けることができるため、画角に応じた撮影を行うことができる。
【００４９】
この実施形態のワイド用ポート７０は、図５および図６に示すように、ワイドコンバージョンレンズＷ１の外径におおむね沿った形状である。すなわちこのワイド用ポート７０は、ワイドコンバージョンレンズＷ１の小径部ｄ１と中間部ｄ２に沿う第１のポート部材７１と、ワイドコンバージョンレンズＷ１の大径部ｄ３に沿う第２のポート部材７２とによって構成されている。このため、前部側に大径部ｄ３を有するワイドコンバージョンレンズＷ１も比較的内容積の小さい防水空間Ｓ２に収納することができ、必要以上の浮力が生じることを回避できる。
【００５０】
なお、ワイド用ポート７０から標準ポート１への交換は、前記と逆の手順によって行うことができる。すなわち、第２のバックル機構９５をロック解除状態にし、第２のポート部材７２を第１のポート部材７１から外したのち、ワイドコンバージョンレンズＷ１をカメラ本体１５から取外す。さらに第１のバックル機構８１をロック解除状態にし、第１のポート部材７１を本体プロテクタ１１から外したのち、標準ポート１を本体プロテクタ１１に取付け、第１のバックル機構８１をロック状態にする。
【００５１】
なお本発明を実施するに当たって、本体プロテクタや第１のポート部材、第２のポート部材をはじめとして、本発明の構成要素を、発明の要旨を逸脱しない範囲で適宜変形して実施できることは言うまでもない。
【図面の簡単な説明】
【００５２】
【図１】本発明の一実施形態の防水プロテクタ装置の正面図。
【図２】図１に示された防水プロテクタ装置の横断面図。
【図３】図１に示された防水プロテクタ装置の本体プロテクタから標準ポートを取外した状態の横断面図。
【図４】（Ａ）（Ｂ）は、それぞれ、図１に示された防水プロテクタ装置のバックル部材がロック位置とロック解除位置にある時の防水プロテクタ装置の一部の側面図。
【図５】図１に示された防水プロテクタ装置の本体プロテクタに第１のポート部材を取付けた状態の横断面図。
【図６】図５に示された第１のポート部材に第２のポート部材を取付けた状態の横断面図。
【符号の説明】
【００５３】
１…標準ポート
１０…防水プロテクタ装置
１１…本体プロテクタ
１５…カメラ本体
４０…開口
４１…第１の開口部
７０…ワイド用ポート
７１…第１のポート部材
７２…第２のポート部材
７５…第２の開口部
７６…第３の開口部
７７…筒部
９０…第４の開口部
９１…光透過部
９２…筒部
Ｗ１…ワイドコンバージョンレンズ（アクセサリ部材）
【図１】
2005164760.tif 000003
【図２】
2005164760.tif 000004
【図３】
2005164760.tif 000005
【図４】
2005164760.tif 000006
【図５】
2005164760.tif 000007
【図６】
2005164760.tif 000008